(57)【要約】【課題】  小型で、取付作業が簡単な面実装部品の取付構造、及びその取付方法を提供する。【解決手段】  本発明の面実装部品の取付構造は、本体部１ａ、２ａとこの本体部１ａ、２ａの下面に設けられた複数の電極１ｂ、２ｂを有する第１，第２の面実装部品１，２と、電極１ｂ、２ｂが半田付けされる複数のランド部４，５を有する回路基板３とを備え、第１，第２の面実装部品１，２は、それぞれの本体部１ａ、２ａ同士の隣り合う側面が互いに接触した状態で、第１，第２の面実装部品１，２のそれぞれの電極１ｂ、２ｂがランド部４，５に半田付けされたため、第１，第２の面実装部品１，２の集積度を向上させることができて、回路基板３の面積を小さくでき、小型化を図ることができる。【選択図】        図１
2005347660.tif 000002
【特許請求の範囲】
【請求項１】
本体部とこの本体部の下面に設けられた複数の電極を有する第１，第２の面実装部品と、前記電極が半田付けされる複数のランド部を有する回路基板とを備え、前記第１，第２の面実装部品は、それぞれの前記本体部同士の隣り合う側面が互いに接触した状態で、前記第１，第２の面実装部品のそれぞれの前記電極が前記ランド部に半田付けされたことを特徴とする面実装部品の取付構造。
【請求項２】
前記第１，第２の面実装部品のそれぞれの前記電極は、前記ランド部に相対向すると共に、互いに対向する前記電極と前記ランド部は、半田付けされる表面積が等しく形成されたことを特徴とする請求項１記載の面実装部品の取付構造。
【請求項３】
前記第１，第２の面実装部品が半導体チップで形成されたことを特徴とする請求項１、又は２記載の面実装部品の取付構造。
【請求項４】
本体部とこの本体部の下面に設けられた複数の電極を有する第１，第２の面実装部品と、前記電極が半田付けされる複数のランド部を有する回路基板と、下方に突出した状態で前記電極に設けられた半田バンプとを備え、前記ランド部に対する前記電極の位置をずらすようにそれぞれの本体部同士間に隙間を持たせ、且つ、それぞれの前記半田バンプが前記ランド部の中央から外れた位置に載置された状態で、前記第１，第２の面実装部品を前記回路基板に載置した後、加熱によって前記半田バンプを溶かし、この溶けた半田の表面張力によって、前記第１，第２の面実装部品が互いに近づくように移動させ、前記本体部同士のそれぞれの側面が接触した状態で、前記第１，第２の面実装部品のそれぞれの前記電極が前記ランド部に半田付けされたことを特徴とする面実装部品の取付方法。
【請求項５】
前記第１，第２の面実装部品のそれぞれの前記電極は、前記ランド部に相対向して半田付けされると共に、互いに対向する前記電極と前記ランド部は、半田付けされる表面積が等しく形成されたことを特徴とする請求項４記載の面実装部品の取付方法。
【発明の詳細な説明】
【技術分野】
【０００１】
本発明は小型化が要求される種々の電子回路ユニット等に適用して好適な面実装部品の取付構造、及びその取付方法に関する。
【背景技術】
【０００２】
従来の面実装部品の取付構造、及びその取付方法の図面を説明すると、図４は従来の面実装部品の取付構造を示す正面図、図５は従来の面実装部品の取付方法を示す説明図である。
【０００３】
次に、従来の面実装部品の取付構造の構成を図４に基づいて説明すると、半導体チップからなる第１，第２の面実装部品５１，５２は、それぞれ箱形の本体部５１ａ、５２ａと、この本体部５１ａ、５２ａの下面に設けられた複数の電極５１ｂ、５２ｂを有する。
【０００４】
回路基板５３には、配線パターンが設けられると共に、この配線パターンに設けられた複数の第１，第２のランド部５４，５５を有し、第１，第２の面実装部品５１，５２は、互いに本体部５１ａ、５２ａが離れた状態で、第１の面実装部品５１の電極５１ｂは、アルミ電極５６によって第１のランド部５４に接続され、また、第２の面実装部品５２の電極５２ｂは、アルミ電極５６によって第２のランド部５５に接続されている。
【０００５】
従来の面実装部品の取付構造は、第１，第２の面実装部品５１，５２の本体部５１ａ、５２ａが互いに離れた状態で取り付けられるため、集積度が悪く、大きな回路基板５３を必要とし、大型になる。
【０００６】
次に、従来の面実装部品の取付方法を図５に基づいて説明すると、先ず、図５に示すように、第１，第２の面実装部品５１，５２の電極５１ｂ、５２ｂには、下方に突出するアルミ電極５６を形成する。
【０００７】
次に、図５に示すように、回路基板５３をステージ５７上に載置すると共に、回路基板５３上には、第１，第２の面実装部品５１，５２を載置し、しかる後、加圧、加熱治具５８によって、第１の面実装部品５１を回路基板５３側に押し付けて、加圧、加熱することによって第１の面実装部品５１の電極５１ｂは、アルミ電極５６によって第１のランド部５４に接続される。
【０００８】
次に、加圧、加熱治具５８を第２の面実装部品５２側に移動させて、加圧、加熱治具５８によって、第２の面実装部品５２を回路基板５３側に押し付けて、加圧、加熱することによって第２の面実装部品５２の電極５２ｂは、アルミ電極５６によって第２のランド部５５に接続されると、面実装部品の取付が完了する。
【０００９】
そして、従来の面実装部品の取付方法は、加圧、加熱治具５８によって、第１、第２の面実装部品５１、５２を回路基板５３に押し付けるようになっているため、その取付作業が面倒で、生産性が悪く、且つ、加圧、加熱治具５８による押し付ける際に、電極５１ｂ、５２ｂと第１，第２のランド部５４，５５との間の位置
ズレが生じ易くなる。（例えば、特許文献１参照）
【００１０】
【特許文献１】特開平６−３４９８９２号公報
【発明の開示】
【発明が解決しようとする課題】
【００１１】
従来の面実装部品の取付構造は、第１，第２の面実装部品５１，５２の本体部５１ａ、５２ａが互いに離れた状態で取り付けられるため、集積度が悪く、大きな回路基板５３を必要とし、大型になるという問題がある。
【００１２】
また、従来の面実装部品の取付方法は、加圧、加熱治具５８によって、第１、第２の面実装部品５１、５２を回路基板５３に押し付けるようになっているため、その取付作業が面倒で、生産性が悪く、且つ、加圧、加熱治具５８による押し付ける際に、電極５１ｂ、５２ｂと第１，第２のランド部５４，５５との間の位置
ズレが生じ易くなるという問題がある。
【００１３】
そこで、本発明は小型で、取付作業が簡単な面実装部品の取付構造、及びその取付方法を提供することを目的とする。
【課題を解決するための手段】
【００１４】
上記課題を解決するための第１の解決手段として、本体部とこの本体部の下面に設けられた複数の電極を有する第１，第２の面実装部品と、前記電極が半田付けされる複数のランド部を有する回路基板とを備え、前記第１，第２の面実装部品は、それぞれの前記本体部同士の隣り合う側面が互いに接触した状態で、前記第１，第２の面実装部品のそれぞれの前記電極が前記ランド部に半田付けされた構成とした。
【００１５】
また、第２の解決手段として、前記第１，第２の面実装部品のそれぞれの前記電極は、前記ランド部に相対向すると共に、互いに対向する前記電極と前記ランド部は、半田付けされる表面積が等しく形成された構成とした。
また、第３の解決手段として、前記第１，第２の面実装部品が半導体チップで形成された構成とした。
【００１６】
また、第４の解決手段として、本体部とこの本体部の下面に設けられた複数の電極を有する第１，第２の面実装部品と、前記電極が半田付けされる複数のランド部を有する回路基板と、下方に突出した状態で前記電極に設けられた半田バンプとを備え、前記ランド部に対する前記電極の位置をずらすようにそれぞれの本体部同士間に隙間を持たせ、且つ、それぞれの前記半田バンプが前記ランド部の中央から外れた位置に載置された状態で、前記第１，第２の面実装部品を前記回路基板に載置した後、加熱によって前記半田バンプを溶かし、この溶けた半田の表面張力によって、前記第１，第２の面実装部品が互いに近づくように移動させ、前記本体部同士のそれぞれの側面が接触した状態で、前記第１，第２の面実装部品のそれぞれの前記電極が前記ランド部に半田付けされた取付方法とした。
【００１７】
また、第５の解決手段として、前記第１，第２の面実装部品のそれぞれの前記電極は、前記ランド部に相対向して半田付けされると共に、互いに対向する前記電極と前記ランド部は、半田付けされる表面積が等しく形成された取付方法とした。
【発明の効果】
【００１８】
本発明の面実装部品の取付構造は、本体部とこの本体部の下面に設けられた複数の電極を有する第１，第２の面実装部品と、電極が半田付けされる複数のランド部を有する回路基板とを備え、第１，第２の面実装部品は、それぞれの本体部同士の隣り合う側面が互いに接触した状態で、第１，第２の面実装部品のそれぞれの電極がランド部に半田付けされたため、第１，第２の面実装部品の集積度を向上させることができて、回路基板の面積を小さくでき、小型化を図ることができる。
【００１９】
また、第１，第２の面実装部品のそれぞれの電極は、ランド部に相対向すると共に、互いに対向する電極とランド部は、半田付けされる表面積が等しく形成されたため、第１，第２の面実装部品のセルフアライメントが正確にできて、第１，第２の面実装部品の半田付の確実なものが得られる。
【００２０】
また、第１，第２の面実装部品が半導体チップで形成されたため、半導体チップは電子回路ユニットにおいて多く使用されることから、半導体チップに適用して好適となる。
【００２１】
また、本体部とこの本体部の下面に設けられた複数の電極を有する第１，第２の面実装部品と、電極が半田付けされる複数のランド部を有する回路基板と、下方に突出した状態で電極に設けられた半田バンプとを備え、ランド部に対する電極の位置をずらすようにそれぞれの本体部同士間に隙間を持たせ、且つ、それぞれの半田バンプがランド部の中央から外れた位置に載置された状態で、第１，第２の面実装部品を回路基板に載置した後、加熱によって半田バンプを溶かし、この溶けた半田の表面張力によって、第１，第２の面実装部品が互いに近づくように移動させ、本体部同士のそれぞれの側面が接触した状態で、第１，第２の面実装部品のそれぞれの電極がランド部に半田付けされたため、第１，第２の面実装部品のセルフアライメントが正確にできて、その取付が簡単であると共に、第１，第２の面実装部品の集積度を向上させることができて、回路基板の面積を小さくでき、小型化を図ることができる。
【００２２】
また、第１，第２の面実装部品のそれぞれの電極は、ランド部に相対向して半田付けされると共に、互いに対向する電極とランド部は、半田付けされる表面積が等しく形成されたため、第１，第２の面実装部品のセルフアライメントが正確にできて、第１，第２の面実装部品の半田付の確実なものが得られる。
【発明を実施するための最良の形態】
【００２３】
本発明の面実装部品の取付構造、及びその取付方法の図面を説明すると、図１は本発明の面実装部品の取付構造を示す正面図、図２は本発明の面実装部品の取付方法の第１工程を示す説明図、図３は本発明の面実装部品の取付方法の第２工程を示す説明図である。
【００２４】
次に、本発明の面実装部品の取付構造の構成を図１に基づいて説明すると、半導体チップ等からなる第１，第２の面実装部品１，２は、それぞれ箱形の本体部１ａ、２ａと、この本体部１ａ、２ａの下面に設けられた複数の電極１ｂ、２ｂを有する。
【００２５】
１枚、或いは多層基板からなる回路基板３には、配線パターンが設けられると共に、この配線パターンに設けられた複数の第１，第２のランド部４，５を有し、そして、第１のランド部４は、第１の面実装部品１の電極１ｂを半田付けするためのランド群として形成され、また、第２のランド部５は、第２の面実装部品２の電極２ｂを半田付けするためのランド群として形成されている。
【００２６】
そして、第１，第２の面実装部品１，２は、本体部１ａ、２ａ同士の側面が互いに接触した状態で、第１の面実装部品１の電極１ｂが第１のランド部４に半田６付されると共に、第２の面実装部品２の電極２ｂが第２のランド部５に半田６付されている。
【００２７】
また、第１，第２の面実装部品１，２が半田６付けされた際、第１の面実装部品１の電極１ｂは、第１のランド部４に相対向した状態になると共に、第２の面実装部品２の電極２ｂは、第２のランド部５に相対向した状態となる。
【００２８】
更に、互いに対向する電極１ｂと第１のランド部４は、半田６付けされる表面積が等しく形成されると共に、互いに対向する電極２ｂと第２のランド部５は、半田６付けされる表面積が等しく形成されており、その結果、半田付の際の溶けた半田による表面張力が電極１ｂと第１のランド部４間、及び電極２ｂと第２のランド部５間で効果的に作用して、電極１ｂと第１のランド部４、及び電極２ｂと第２のランド部５は、互いに相対向した状態にできる。
【００２９】
なお、この実施例では、電極１ｂ、２ｂ、及び第１、第２のランド部４、５の半田６付けされる表面積が等しく形成されたもので説明したが、半田付表面積を第１と第２の面実装部品間で異ならしめても良い。
【００３０】
次に、本発明の面実装部品の取付方法を図２，図３に基づいて説明すると、先ず、図２に示すように、第１，第２の面実装部品１，２の電極１ｂ、２ｂには、下方に突出する半田バンプ７を形成する。
【００３１】
次に、図２に示すように、第１，第２のランド部４，５に対する電極１ｂ、２ｂの位置をずらすようにそれぞれの本体部１ａ、２ａ同士間に隙間を持たせ、且つ、それぞれの半田バンプ７が第１，第２のランド部４，５の中央から外れた位置に載置された状態で、第１，第２の面実装部品１，２を回路基板３上に載置する。
【００３２】
次に、この状態でリフロー炉内に搬送すると、図３に示すように、加熱によって半田バンプ７が溶け、この溶けた半田の表面張力によって、第１，第２の面実装部品１，２が矢印方向に互いに近づくように移動して、本体部１ａ、２ａ同士のそれぞれの側面が接触した状態となって、その結果、図１に示すように、第１，第２の面実装部品１，２のそれぞれの電極１ｂ、２ｂが第１，第２のランド部４，５に半田６付けされて、面実装部品の取付が完了する。
即ち、半田バンプ７が溶けた際、第１，第２の面実装部品１，２のそれぞれは、セルフアライメントが行われるようになる。
【図面の簡単な説明】
【００３３】
【図１】本発明の面実装部品の取付構造を示す正面図。
【図２】本発明の面実装部品の取付方法の第１工程を示す説明図。
【図３】本発明の面実装部品の取付方法の第２工程を示す説明図。
【図４】従来の面実装部品の取付構造を示す正面図。
【図５】従来の面実装部品の取付方法を示す説明図。
【符号の説明】
【００３４】
１：第１の面実装部品
１ａ：本体部
１ｂ：電極
２：第２の面実装部品
２ａ：本体部
２ｂ：電極
３：回路基板
４：第１のランド部
５：第２のランド部
６：半田
７：半田バンプ
【図１】
2005347660.tif 000003
【図２】
2005347660.tif 000004
【図３】
2005347660.tif 000005
【図４】
2005347660.tif 000006
【図５】
2005347660.tif 000007